(57)【要約】【課題】リムレスメガネのレンズの二箇所のレンズ止着用穴に止着部品及び連結部品をしっかり止着する事。【解決手段】円柱形状ブッシュ（１０）の一方の端部には軸線に垂直に、止着アーム又は連結アームの径よりも大きめの内径を有する前記アームがその中を移動可能なアーム用貫通孔（１２）が設けられ、一方、前記円柱形状ブッシュ他端部には、上平面（１４）から軸線方向にレンズ止着ネジ用のネジ穴（１５）が設けられた事を特徴とする、リムレスメガネの為の止着位置調整機能付き可動ブッシュを止着部品として採用した。【選択図】図１
2004163844.tif 000002
【特許請求の範囲】
【請求項１】
リムレスメガネのレンズと止着部品又は連結部品との止着用に使用される該レンズ端部の貫通孔に嵌合される円柱形状のブッシュであって、該ブッシュの一方の端部には軸線に垂直に、止着アーム又は連結アームの外径よりも大きめの内径を有する前記アームがその中を移動可能なアーム用貫通孔が設けられ、一方、前記円柱形状ブッシュ他端部には、上平面から軸線方向にレンズ止着ネジ用のネジ穴が設けられた事を特徴とする、リムレスメガネの為の止着位置調整機能付き可動ブッシュ。
【請求項２】
前記円柱形状ブッシュ端部のアーム用貫通孔の形状が円柱の軸線方向に長径を有する長円形又は楕円形で或る事を特徴とする請求項１に記載のリムレスメガネの為の止着位置調整機能付き可動ブッシュ。
【請求項３】
前記円柱形状ブッシュのレンズ止着用ネジ穴が設けられた端部が、ネジ止めされレンズに取付けられた時、レンズ表面から出ない様に形成された事を特徴とする請求項１に記載のリムレスメガネの為の止着位置調整機能付き可動ブッシュ。
【請求項４】
個々のレンズの左右端部に、それぞれ一箇所のレンズ止着用貫通孔を有するリムレスメガネのレンズ止着構造であって、先端にレンズ表面に突き刺すように尖鋭突起部が形成された止着部品のアーム部分又は連結部品のアーム部分には、該アーム先端から前記請求項１記載の止着位置調整機能付き可動ブッシュをそのアーム用貫通孔から挿入し、前記アーム上で可動可能状態にしておき、前記止着位置調整機能付き可動ブッシュをレンズ表面からレンズ貫通孔に嵌挿し、そして、前記アーム先端の尖鋭突起部を前記レンズ貫通孔の近辺でレンズ貫通孔に水平な適宜位置に突き刺す様に食い込ませ、そして、もう一方のレンズ表面からレンズ止着用ネジを前記可動ブッシュネジ穴に螺着させた事を特徴とする、リムレスメガネの止着構造。
【請求項５】
前記、止着部品のアーム部分又は連結部品のアーム部分先端の尖鋭突起部がアーム部分とは別体に形成され、前記アーム部分端部に嵌合可能にされたことを特徴とする、請求項４記載のリムレスメガネの止着構造。
【請求項６】
個々のレンズの左右端部に、それぞれ第一と第二の二箇所の止着用の貫通孔を有するリムレスメガネのレンズ止着構造であって、先端がほぼ直角に曲げられた止着部品のアーム部分又は連結部品のアーム部分には該アーム先端部から、請求項１記載の止着位置調整機能付き可動ブッシュをそのアーム用貫通孔から入れ、前記各アーム上に可動可能状態に位置しておき、前記アームの曲折先端部をレンズ表面から第一のレンズ貫通孔に嵌挿し、そして、第二のレンズ貫通孔に前記止着位置調整機能付き可動ブッシュを位置を合わせて嵌挿し、もう一方のレンズ表面からレンズ止着用ネジを前記可動ブッシュネジ穴に螺着させた事を特徴とするリムレスメガネのレンズ止着構造。
【発明の詳細な説明】
【０００１】
【発明の属する技術分野】
本発明は，リムレスメガネのレンズと止着部品又は連結部品との止着用ブッシュ及びそれを使用したリムレスメガネの止着構造に関する。
【０００２】
【従来の技術】
従来よりリムレスメガネの止着構造としては、（ａ）レンズと止着部品とを、一箇所のレンズ貫通孔によりネジ止めし、レンズ周面にレンズ掴み部を配置してレンズと止着部品の共回りを防止するタイプのメガネ（図示しない）と、（ｂ）図８の様に、レンズ３０ｂと止着部品又は連結部品２０ｂとの共回りを防止する為に、レンズの両端部にそれぞれ二箇所の穴３１ｂ，３２ｂを設けて，止着部品又は連結部品でレンズを保持するタイプのメガネが多く使用されて来ていた。
【０００３】
【発明が解決しようとする課題】
しかしながら、上記従来構造の（ａ）の場合、レンズの外形は色んな形状が非常に多く、レンズ周面の形状にレンズ掴み部品の形状を合わせて形成して、レンズと止着部品の共回りを完全に防止することは困難であった、その為に上記（ｂ）の図８の様にレンズ表面に二箇所の貫通孔を設けてレンズを止着する方法が提案されてきたものと推察される。しかしながら、図８の場合においては、上記レンズの二箇所の穴を正確に設けなければ止着部品又は連結部品がきちんと収まらなくなる場合が小売等の現場で多々発生していた。又レンズの曲率の違いにより二箇所の穴の間の距離や角度の微調整も困難であった。又、更に、メーカー、小売店等によっては、レンズ面に垂直に止着用の穴を設ける方法を採用している所と、レンズの光軸に平行にレンズ端部に止着用の穴を設ける方法を採用している所があり、そうした場合、一層、止着用の穴に止着用部品を一致嵌合させる事は困難であった。
【０００４】
【課題を解決するための手段】
そこで本発明においては、上記課題を解決する為にまず第一に、リムレスメガネのレンズと止着部品及び連結部品との止着用に使用される該レンズ端部の貫通孔に嵌合される円柱形状のブッシュであって、該ブッシュの一方の端部には軸線に垂直に、止着アーム又は連結アームの径よりも大きめの内径を有する前記アームがその中を移動可能なアーム用貫通孔が設けられ、一方、前記円柱形状ブッシュ他端部には、上平面から軸線方向にレンズ止着ネジ用のネジ穴が設けられた事を特徴とする、リムレスメガネの為の止着位置調整機能付き可動ブッシュをリムレスメガネに採用する事により上記課題の解決を図った。
【０００５】
又、次ぎに、個々のレンズの左右端部に、それぞれ一箇所のレンズ止着用貫通孔を有するリムレスメガネのレンズ止着構造であって、先端にレンズ表面に突き刺すようにされた尖鋭突起部が形成された止着部品のアーム部又は連結部品のアーム部分には、該アーム先端から前記請求項１記載の止着位置調整機能付き可動ブッシュをそのアーム用貫通孔から挿入し、前記アーム上で可動可能状態にしておき、前記止着位置調整機能付き可動ブッシュをレンズ表面からレンズ貫通孔に嵌挿し、そして、前記アーム先端の尖鋭突起部を前記レンズ貫通孔の近辺でレンズ貫通孔に水平な適宜位置に突き刺す様に食い込ませ、そして、もう一方のレンズ表面からレンズ止着用ネジを前記可動ブッシュネジ穴に螺着させた事を特徴とするリムレスメガネの止着構造の提供により上記課題の解決を図った。又、前記、止着部品のアーム部分又は連結部品のアーム部分先端の尖鋭突起部がアーム部分とは別体に形成され、前記アーム部分先端部に嵌合可能にする事により上記課題の解決を図った。
【０００６】
又、更に、個々のレンズの左右端部に、それぞれ第一と第二の二箇所の止着用の貫通孔を有するリムレスメガネのレンズ止着構造であって、先端がほぼ直角に曲げられた止着部品のアーム部分又は連結部品のアーム部分には該アーム先端部から、前記の止着位置調整機能付き可動ブッシュをその貫通孔から入れ、前記各アーム上に可動可能状態に位置しておき、前記アームの曲折先端部をレンズ面から第一のレンズ貫通孔に嵌挿し、そして、第二のレンズ貫通孔に前記止着位置調整機能付き可動ブッシュを位置を合わせて嵌挿し、反対のレンズ面からレンズ止着用ネジを前記可動ブッシュネジ穴に螺着させた事を特徴とするリムレスメガネのレンズ止着構造を提供する事により上記課題の解決を図った。すなわち、本発明の止着位置調整機能付き可動ブッシュを止着部品アーム部分又は連結部品アーム部分に可動可能に配置する事により、レンズ表面上での止着穴の位置・角度を調整して、レンズと止着部品又は連結部品との共回り防止が可能となる様に止着出来る事となった。以下、図１〜図８によって本発明を詳述する。
【０００７】
【実施例】
図１は本発明の第一の実施例の斜視図であって、リムレスメガネの為の止着位置調整機能付き可動ブッシュ１０（以下可動ブッシュと略す）であって、円柱形状であり、該可動ブッシュ１０の一方の端部１１の周面１３には軸線に垂直に、止着アーム又は連結アームの外径よりも大きめの内径を有するアーム用貫通孔１２が設けられるようにされる。そして前記アーム用貫通孔１２は前記円柱形可動ブッシュ１０の軸線方向に長径を有する長円形又は楕円形であっても良い。そして円柱形可動ブッシュ１０のもう一方の端部には、その上平面１４から軸線方向にレンズ止着ネジ用のネジ穴１５が設けられた構造となっている。
【０００８】
図２は前記可動ブッシュと止着部品との取付け説明図であって、前記円柱形可動ブッシュ１０の貫通孔１２に、止着部品２０をその尖鋭突起部２１から挿入し、止着部品２０のアーム２２上迄通しアーム上に可動ブッシュ１０を配置する。この状態に可動ブッシュ１０と止着アーム２２が置かれることにより、可動ブッシュ１０はアーム２２上を矢印Ｂ−Ｂ方向に平行に移動可能であり、又、アーム２２の外径より貫通孔１２の内径が大きく取ってあるので、可動ブッシュ上部１６は矢印Ｃ−Ｃの様に頭を振る様に動かし角度の調整が出来る。そして、アーム２２上で、アームを軸として可動ブッシュ１０は矢印Ｄ−Ｄの様に回動可能である。すなわち、ほとんどの方向での、距離及び角度の微調整が可能となる。そして、アーム先端の尖鋭突起部をレンズ表面に突き刺す様にして食込ませて二箇所でレンズと止着部品を止着する。以下、止着部品と連結部品は止着構造の説明は重複するので、連結部品の構造の説明は省き、止着部品の説明を主として述べさせて頂く。又、前記アーム先端の尖鋭突起部は少なくとも一箇所又は一本以上設けられても良い。又、図９の様に、止着部品のアーム部分２２ｂ又は連結部品のアーム部分先端の尖鋭突起部がアーム部分とは別体２１０に形成され、前記アーム部分端部に嵌合可能にされた構造であっても良い。この図９の様な状態の場合に置いては、可動ブッシュ１０ａのアーム用貫通孔の内径は長円形又は楕円形に形成しなくて済み、組立て或いは製造工程に於いてはコストの削減が可能である。
【０００９】
図３は、図２の状態から、眼用レンズ３０を取付して組立てる本発明の実施例の説明図であって、先端にレンズ表面に突き刺すように尖鋭突起部２１が形成された止着部品２０のアーム部分２２には、該アーム先端から可動ブッシュ１０をそのアーム用貫通孔１２から挿入し、前記アーム上で可動可能状態にしておき、可動ブッシュ１０をレンズ表面からレンズ貫通孔に嵌挿し、そして、前記アーム先端の尖鋭突起部２１を前記レンズ貫通孔３０１の近辺でレンズ貫通孔３０１に水平な適宜位置に突き刺す様に食い込ませ、そして、もう一方のレンズ表面からレンズ止着用ネジ３５により止着させた構造となっている。
【００１０】
図４はアーム部分２０１をレンズ表面に位置させて、レンズ裏面からネジ止めした図３の変化例図であり、どちらでもデザイン的なこのみによりユーザーに選ばれることが可能である。
【００１１】
図５は前記可動ブッシュと止着部品との他の実施例の取付け説明図であって、前記円柱形可動ブッシュ１０の貫通孔１２に、止着部品２０ａをその先端部２１ａから挿入し、止着部品２０ａのアーム２２ａ上迄通しアーム上に可動ブッシュ１０を配置する。この状態に可動ブッシュ１０と止着アーム２２ａが置かれることにより、可動ブッシュ１０はアーム２２ａ上を矢印Ｂ’−Ｂ’方向に平行に移動可能であり、又、アーム２２ａの外径より貫通孔１２の内径が大きく取ってあるので、可動ブッシュ上部１６は矢印Ｃ’−Ｃ’の様に頭を振る様に動かし角度の調整が出来る。そして、アーム２２ａ上で、アームを軸として可動ブッシュ１０は矢印Ｄ’−Ｄ’の様に回動可能である。すなわち、ほとんどの方向での、距離及び角度の微調整が可能となる。レンズの端部の二箇所の穴３１，３２間の距離の微調整や、レンズの曲率の違いによるブッシュの取り付け角度の微調整、又はレンズに対する穴明け方法の違いによるブッシュと止着部品の間の距離と角度の微調整が本発明のブッシュを止着する構造を採る事により解決可能となる。
【００１２】
図６は、図５の状態から、眼用レンズ３０ａを取着して組立てる本発明の他の実施例の説明図であって、レンズ３０ａに設けられた第一の穴３１と第二の穴３２に、止着部品２０ａの曲げられた自由先端部２１ａと嵌挿された可動ブッシュ１０をそれぞれ挿入する。前記した様に、可動ブッシュ１０が角度、距離共に微調整可能なので、穴３１，３２の位置に多少の誤差が出来ていても嵌め込む事が出来る。そして、次ぎに、この実施例の場合だと、レンズ表面から止着用ネジ３５を可動ブッシュ１０のネジ用穴に螺着して出来あがる。この場合、前記可動ブッシュ１０の上平面１４はネジ３５によって完全に締め上げられた状態に於いてレンズ表面３６より突出しない様にする事が必要である。
【００１３】
図７はアーム部分２０２をレンズ表面に位置させて、レンズ裏面からネジ止めした図６の変化例図であり、どちらでもデザイン的なこのみによりユーザーに選ばれることが可能である。
【００１４】
図８は従来図であって、レンズ３０ｂに設けられた二つの穴３１ｂと３２ｂに止着部品２０ｂの端部に設けられた固定された止着部ネジ４０と固定された止着用突起部４１を嵌挿する従来技術であるが、ほとんど位置や角度の調整が効かず、穴開け位置のちょっとした誤差及びレンズの曲率の違いには対応できず、レンズを無駄にしたり、無理に力を入れるとレンズにひびが入る事となる。又、上記した様にレンズ表面に垂直に穴を開ける方法とレンズ光軸に平行に穴を開ける方法の違う場合は、全く位置がずれてしまい別の部品を作らなければならない事となる。
【００１５】
【発明の効果】
以上のように、本発明によると、リムレスメガネのレンズ表面端部に止着部品及び連結部品を固定する場合において、本発明の簡単な可動ブッシュを使用する事により、レンズ上の多少の穴明け位置の誤差、又は、レンズ曲率の違いによる穴の位置のズレ、レンズの穴開け方法の違いによる穴の向きのズレによる止着位置の変化に対する微調整が可能であり、簡単な構造の部品でレンズと部品の共回りも無く、しっかりレンズを保持でき、リムレスメガネの使用に多いに役に立つものである。
【図面の簡単な説明】
【図１】本発明の可動ブッシュの斜視図
【図２】本発明のレンズを取付ける前の実施例の平面図
【図３】本発明のレンズを取付けた場合の実施例平面図
【図４】図３の変化例図
【図５】本発明のレンズを取付ける前の他の実施例の平面図
【図６】本発明のレンズを取付けた場合の他の実施例平面図
【図７】図６の変化例図
【図８】従来のリムレスメガネの止着構造の要部平面図
【図９】本発明のレンズを取付ける前の応用例の平面図
【符号の説明】
１０…可動ブッシュ
１１…可動ブッシュの一方の端部
１２…アーム用貫通孔
１３…円柱周面
１４…円柱上平面
１５…レンズ止着用ネジ穴
１６…可動ブッシュ上部
２０…止着部品（連結部品）
２１…止着部品尖鋭突起部
２１０…尖鋭突起部品
２２…止着部品アーム
３０…レンズ
３０１…レンズ貫通孔
３１…レンズ第一の穴
３２…レンズ第二の穴
３３…ワッシャー
３５…止着ネジ
３６…レンズ表面
４０…止着部ネジ
４１…止着用突起部
４３…ナット
【図１】
2004163844.tif 000003
【図２】
2004163844.tif 000004
【図３】
2004163844.tif 000005
【図４】
2004163844.tif 000006
【図５】
2004163844.tif 000007
【図６】
2004163844.tif 000008
【図７】
2004163844.tif 000009
【図８】
2004163844.tif 000010
【図９】
2004163844.tif 000011